(57)【要約】【課題】封筒の専用アプリでなくても封筒用紙の適切な位置に画像を印刷させる。【解決手段】画像処理装置１のＣＰＵ１１は、ＨＤＤ等のプログラム記憶部１３に記憶されたプリンタドライバ１３２を実行することによって、折り目により形成される複数の領域を有する封筒用紙５のうち印字されることを回避するための印字回避領域を示す印字情報と封筒用紙の折り数を示す用紙折り情報とを取得する情報取得手段１３２ｄと、取得した印字情報と用紙折り情報とに基づいて、封筒用紙５に印刷すべき画像データのうち所定の画像が印字回避領域に重なるか否かを判定する判定手段１３２ａと、画像が印字回避領域に重なると判定された場合、重なると判定された画像を同一の領域内で印字回避領域と重ならないように移動させる画像移動手段１３２ｂとして動作する。【選択図】図１
2015049599.tif 000002
【特許請求の範囲】
【請求項１】
折り目により形成される複数の領域を有する封筒用紙のうち印字されることを回避するための印字回避領域を示す印字情報と前記封筒用紙の折り数を示す用紙折り情報とを取得する情報取得手段と、
前記情報取得手段が取得した前記印字情報と前記用紙折り情報とに基づいて、前記封筒用紙に印刷すべき画像データのうち所定の画像が印字回避領域に重なるか否かを判定する判定手段と、
前記判定手段により前記画像が印字回避領域に重なると判定された場合、重なると判定された前記画像を同一の前記領域内で印字回避領域と重ならないように移動させる画像移動手段と、
を備えたことを特徴とする画像処理装置。
【発明の詳細な説明】
【技術分野】
【０００１】
本発明は、封筒の専用アプリを用いなくても封筒用紙の適切な位置に画像を印刷させる画像処理装置に関する。
【背景技術】
【０００２】
画像処理装置として、封入封緘装置で内容物を封入封緘する封筒用紙に画像を印刷するものが既に提案されている（例えば、特許文献１，２参照）。
【０００３】
このような画像処理装置で用いられる封筒用紙は、印刷後に内容物が封入封緘され封筒になるため、糊部や切欠き部、さらには糊部の裏面に糊が張り付かないようにシリコン部等が設けられている。
【０００４】
特許文献１，２のように、封筒用紙の糊部やシリコン部や封筒の印字領域が予め設定されている封筒の専用アプリを用いれば、特定の封筒用紙の糊部やシリコン部、切欠き部等の印字されることを回避したい印字回避領域を避けるように印刷するため、封筒用紙の糊部やシリコン部に画像が印刷されることはない。
【０００５】
しかし、専用アプリなどはＰＣにインストールするなどの手間があるため、ユーザとしてはＰＣなどにインストール済みの文章編集アプリなどを用いて画像を封筒に印刷したい。
【先行技術文献】
【特許文献】
【０００６】
【特許文献１】特開２０１３−７１７５９号公報
【特許文献２】特開２０１２−９１３７６号公報
【発明の概要】
【発明が解決しようとする課題】
【０００７】
しかしながら、文章編集アプリなどを用いて画像を封筒に印刷すると、封筒用紙の糊部やシリコン部や封筒の印字領域を認識していないため、たとえば、社名や宛名など画像の重要な部分などが欠けて読み取れなくなってしまう問題がある。
【０００８】
本発明は、以上のような問題に鑑みてなされたものであり、封筒の専用アプリでなくても封筒用紙の適切な位置に画像を印刷させる画像処理装置を提供することを目的とする。
【課題を解決するための手段】
【０００９】
上記課題を解決するため、本発明に係る画像処理装置の第１の特徴は、折り目により形成される複数の領域を有する封筒用紙のうち印字されることを回避するための印字回避領域を示す印字情報と前記封筒用紙の折り数を示す用紙折り情報とを取得する情報取得手段と、前記情報取得手段が取得した前記印字情報と前記用紙折り情報とに基づいて、前記封筒用紙に印刷すべき画像データのうち所定の画像が印字回避領域に重なるか否かを判定する判定手段と、前記判定手段により前記画像が印字回避領域に重なると判定された場合、重なると判定された前記画像を同一の前記領域内で印字回避領域と重ならないように移動させる画像移動手段と、を備えたことである。
【発明の効果】
【００１０】
本発明に係る画像処理装置の第１の特徴によれば、画像移動手段が、判定手段により画像が印字回避領域に重なると判定された場合、同一の領域内で画像が印字回避領域に重ならないように画像を移動させるので、専用アプリを用いなくても、ユーザが封筒に印刷された画像を読み取ることができる。
【図面の簡単な説明】
【００１１】
【図１】本発明の実施の形態１に係る画像処理装置を含む封入封緘システム全体の構成図である。
【図２】封入封緘装置用の封筒用紙と印字回避領域の一例を示す図であり、（a）は封筒用紙の裏面側、（ｂ）は封筒用紙の表面側を示す図である。
【図３】本発明の実施の形態１に係る画像処理装置におけるプリンタドライバ実行時の動作を示すフローチャートである。
【図４】本発明の実施の形態１に係る画像処理装置におけるプリンタドライバ実行時に表示部に表示される封筒作成プリントウインドウの一例を示す図である。
【図５】本発明の実施の形態１に係る画像処理装置におけるプリンタドライバ実行時に表示部に表示される確認メッセージウインドウの一例を示す図である。
【図６】（ａ）は印字回避領域に重要画像が重なった状態、（ｂ）は印字回避領域に重なった重要画像編集処理の一例を示す図である。
【図７】（ａ）は印字回避領域に背景画像が重なった状態、（ｂ）は印字回避領域に重なった背景画像編集処理の一例を示す図である。
【図８】印字回避領域の別の例である糊接着部を示す図である。
【図９】本発明の実施の形態２に係る画像処理装置を含む封入封緘システム全体の構成図である。
【発明を実施するための形態】
【００１２】
（実施の形態１）
以下、本発明の実施の形態１に係る画像処理装置について説明する。
【００１３】
図１は、本発明の実施の形態１に係る画像処理装置を備えた封入封緘システム全体の構成図である。
【００１４】
図１に示すように、封入封緘システムは、本発明の実施の形態１に係る画像処理装置１と、印刷装置３とが有線または無線のネットワーク２を介して接続されており、印刷装置３には封入封緘装置４が接続されている。
【００１５】
画像処理装置１は、例えば、汎用のパソコン等から構成されており、図１に示すように、ＣＰＵ１１と、メモリ１２と、市販の文書編集アプリケーションプログラム（以下、文書編集アプリケーションと略す。）１３１や、印刷装置３に印刷を実行させるためのプリンタドライバプログラム（以下、プリンタドライバと略す。）１３２等が格納されたＨＤＤやＳＳＤ等のプログラム記憶部１３と、液晶モニタ等の表示部１４と、キーボード等の入力部１５と、ネットワーク２に接続されるネットワークＩ／Ｆ部１６とを備えている。
【００１６】
ＣＰＵ１１は、プリンタドライバ１３２を実行することによって、後述するように、判定手段１３２ａ、画像移動手段１３２ｂ、情報取得手段１３２ｄとして機能する。
【００１７】
印刷装置３は、図１に示すように、ネットワーク２を介して画像処理装置１と接続され、画像処理装置１から送信された印刷データに基づいて封筒用紙やその封筒に入れる内容物等の印刷を行うものであり、ＣＰＵ３１と、メモリ３２と、各種印刷制御用のプログラムが格納されたプログラム記憶部３３と、封入封緘装置４等の外部装置と接続するための外部装置Ｉ／Ｆ部３４と、ユーザからの操作を受付ける操作受付部３５と、印刷処理を実行する印刷実行部３６と、ネットワーク２に接続されるネットワークＩ／Ｆ部３７とを備えている。
【００１８】
封入封緘装置４は、周知のものであり、印刷装置３によって印刷された封筒用紙と内容物を受けて、その内容物を所定の順序で折畳むと共に、封筒用紙も所定の順序で折畳んで封筒を作成し、折畳んだ内容物を封筒の中に封入し、その後、その内容物を封筒内に封入して封緘する装置である。
【００１９】
図２は、封入封緘装置４用の封筒用紙５における印字回避領域の一例を示す図であり、（ａ）は封筒用紙５の裏面側、（ｂ）は封筒用紙５の表面側を示す図である。
【００２０】
封筒用紙５は、例えば、図２（ａ），（ｂ）に示すように封筒の裏に相当する第１構成紙５１と、宛先名等が印字される封筒の表に相当する第２構成紙５２と、第１構成紙５１の上から糊付けされるフラップ等に相当する第３構成紙５３の３つの構成紙５１〜５３が折り目で繋げられた用紙である。第１構成紙５１および第２構成紙５２は矩形であるのに対し、第３構成紙５３はその両側が斜めに切取られる切欠き部５３ａを有する台形で構成されている。なお、３つの構成紙５１〜５３それぞれには、３つの構成紙５１〜５３それぞれの辺に沿って糊部が設けられている。
【００２１】
第３構成紙５３は、その裏面側には、その辺に沿った図示しない糊部以外に、図２（ａ）に示すように第２構成紙５２との間の折り目に沿って再湿糊等の糊部５３ｂが設けられている。また、その糊部５３ｂの裏側には図２（ｂ）に示すように糊部５３ｂの糊が浸透しないようにするためのシリコン部５３ｃが設けられている。従って、図２（ａ），（ｂ）に示すように構成された封筒用紙５の第３構成紙５３では、切欠き部５３ａと、裏面側の糊部５３ｂと、表面側のシリコン部５３ｃが印字回避領域となる。なお、印字回避領域以外は、原則として印字可能領域となる。プリンタドライバ１３２には、予め封筒用紙５のフォーム（以下、封筒用紙フォームと略す）毎にその封筒用紙５の縦横サイズ情報や、印字回避領域および印字可能領域の位置（座標）データ等の印字情報や、封筒用紙５の折り数を示す用紙折り情報等が登録されている。なお、印字情報としては、少なくとも印字回避領域の位置（座標）データが登録されている。
【００２２】
一方、図２（ａ），（ｂ）に示すように構成された封筒用紙５の第１構成紙５１および第２構成紙５２には、印字回避領域は存在しないものとする。
【００２３】
次に、本発明の実施の形態１に係る画像処理装置１の動作を、フローチャートを参照して説明する。
【００２４】
図３は、本発明の実施の形態１に係る画像処理装置１におけるプリンタドライバ１３２実行時の動作を示すフローチャートである。
【００２５】
まず、この画像処理装置１をユーザが操作して、ＨＤＤ等のプログラム記憶部１３に格納された文書編集アプリケーション１３１をＣＰＵ１１が実行して、図２（ａ），（ｂ）に示すような文書編集アプリケーション１３１によって作成した原稿データを作成すると共に、その原稿データが完成して印刷を選択すると、ＣＰＵ１１はプリンタドライバ１３２を起動して実行する。
【００２６】
ＣＰＵ１１は、プリンタドライバ１３２を起動して、まず文書編集アプリケーション１３１の実行によって作成された原稿データを受付けると（Ｓ１０１“ＹＥＳ”）、表示部１４に封筒作成プリントウインドウを表示して（Ｓ１０３）、その原稿データを印刷させるべき封筒用紙５のフォームである封筒用紙フォームをユーザに選択させる（Ｓ１０５）。
【００２７】
図４は、表示部１４に表示された封筒作成プリントウインドウ１４１の一例を示す図である。
【００２８】
図４に示すように、封筒作成プリントウインドウ１４１では、封筒用紙フォーム選択欄１４１ａで、ユーザは原稿データを印刷させるべき封筒用紙フォームをプルダウン形式等で選択できる。なお、封筒作成プリントウインドウ１４１には、封筒用紙５選択欄１４１ａ以外に、封筒用トレイ選択欄１４１ｂと、封筒の両面設定選択欄１４１ｃと、内容物を封入するか否かを選択する内容物封入選択欄１４１ｄと、内容物のサイズを選択する内容物サイズ選択欄１４１ｅと、内容物が置かれているトレイを選択する内容物トレイ選択欄１４１ｆと、内容物の用紙の種類を選択する内容物用紙種類選択欄１４１ｇと、内容物の両面設定を選択する内容物両面設定選択欄１４１ｈと、内容物を１８０度回転させるか否かを選択する内容物回転選択欄１４１ｉと、選択した封筒用紙フォームで一通のみサンプルプリントを実行するか否かを選択するサンプルプリント選択欄１４１ｊと、ＯＫボタン１４１ｋと、キャンセルボタン１４１ｍとが表示されている。
【００２９】
図３に戻り、表示部１４に表示された封筒作成プリントウインドウ１４１の封筒用紙フォーム選択欄１４１ａで、文書編集アプリケーション１３１によって作成した原稿データを印刷させるべき封筒用紙フォームを封筒用紙フォーム選択欄１４１ａでユーザが選択してＯＫボタン１４１ｋが押されると（Ｓ１０５“ＹＥＳ”）、ＣＰＵ１１は、情報取得手段１３２ｄとして機能し、ユーザによって選択された封筒用紙フォームの印字回避領域の位置（座標）データと、封筒用紙５の折り数を示す用紙折り情報をプリンタドライバ１３２から読み出す（Ｓ１０７）。
【００３０】
そして、ＣＰＵ１１は、判定手段として機能し、印字回避領域の位置（座標）データと封筒用紙５の折り数を示す用紙折り情報とに基づいて、文書編集アプリケーション１３１によって作成した原稿データの画像が封筒用紙フォームの印字回避領域に重ならないか否かを判定する（Ｓ１０９）。
【００３１】
ステップＳ１０９において、封筒用紙フォームの印字回避領域に原稿データの画像が重ならないと判定された場合（ＹＥＳの場合）、ＣＰＵ１１は、通常の印刷の場合と同様に文書編集アプリケーション１３１によって作成した原稿データの画像から印刷データを生成し、印刷装置３へ送信する（Ｓ１１１）。これにより、印刷装置３は、文書編集アプリケーション１３１によって作成した原稿データの画像を通常通り封筒用紙５に印刷することができる。
【００３２】
一方、ステップＳ１０９において、封筒用紙フォームの印字回避領域に原稿データの画像が重なるものと判定された場合（ＮＯの場合）、ＣＰＵ１１は、印字回避領域における画像の編集処理を実行して良いか否かをユーザに確認させるためのメッセージウインドウを表示部１４に表示する（Ｓ１１３）。
【００３３】
図５は、本発明の実施の形態１に係る画像処理装置が備える表示部１４に表示されるメッセージウインドウ１４２の一例を示す図である。
【００３４】
図５に示すように、メッセージウインドウ１４２には、本発明に係る印字回避領域における画像の編集処理をユーザに選択（実行）するためのＯＫボタン１４２ａと、キャンセルするためのキャンセルボタン１４２ｂとが表示される。なお、このステップＳ１１３のメッセージウインドウ表示処理は、任意であり省略しても良い。
【００３５】
ステップＳ１１５において、ユーザがメッセージウインドウ１４２にてキャンセルボタン１４２ｂを選択して印字回避領域における画像編集処理の実行をキャンセルした場合（ＮＯの場合）、ＣＰＵ１１は、印刷処理をキャンセルし（Ｓ１２３）、印刷処理を終了する。
【００３６】
一方、ステップＳ１１５において、ユーザがメッセージウインドウ１４２にてＯＫボタン１４２ａを選択して印字回避領域における画像編集処理の実行を選択した場合（ＹＥＳの場合）、ＣＰＵ１１は、画像移動手段１３２ｂとして機能し、印字回避領域に重なる画像が重要画像であるか、あるいは重要画像以外の背景画像であるかを判定する（Ｓ１１７）。ここで、背景画像とは封筒に印刷される模様や色彩等のたとえ欠落等して印刷されても封筒の機能上問題が発生しない画像のことをいう。また、重要画像とは、宛名や送り主名、住所、電話番号等の欠落等して正しく印字されない場合には封筒の機能上問題が発生する画像のことである。なお、重要画像と背景画像とは任意に指定可能であり、例えば、会社のロゴマーク等は、欠落等して印刷されても封筒の機能上問題が発生しないが、重要画像に設定して欠落等を防止することもできる。
【００３７】
ステップＳ１１７において、印字回避領域に重なる画像が、宛名や送り主名、住所等の重要画像であると判定した場合、ＣＰＵ１１は、画像編集手段として機能し、後述するように印字回避領域に重なる画像を同一の構成紙内の印字可能領域に移動させる画像編集処理を実行する（Ｓ１１９）。ここで、ＣＰＵ１１による印字回避領域に重なる画像が重要画像であるか否かの判定は、例えば、文書編集アプリケーション１３１によって作成した原稿データに含まれる画像が所定の大きさや所定フォーマットの宛名や送り主名、住所等のテキストデータであれば重要画像であると判定する。
【００３８】
一方、ステップＳ１１７において、印字回避領域に重なる画像が、封筒に印刷される模様や色彩等の欠落しても封筒の機能上問題のない背景画像であると判定された場合、ＣＰＵ１１は、画像編集手段として機能し、後述するように印字回避領域に重なる部分の画像を印字しない画像編集処理を実行する（Ｓ１２１）。
【００３９】
図６は、ステップＳ１１９に示した印字回避領域に重なる重要画像を印字可能領域に移動させる編集処理の一例を示す説明図であり、（ａ）は印字回避領域に重要画像が重なっている状態、（ｂ）は印字回避領域に重なる重要画像を印刷可能領域に移動した状態を示す図である。
【００４０】
図６（ａ）に示すように、第３構成紙５３の表面側の印字回避領域であるシリコン部５３ｃに“○○株式会社”という送り主名の重要画像が重なるため、ＣＰＵ１１は、画像編集手段として機能してシリコン部５３ｃに重なる“○○○○株式会社”という重要画像を、図６（ｂ）に示すように同一の構成紙である第３構成紙５３の印字可能領域に移動させる。なお、ここでは、図６（ｂ）に示すように重要画像を同一の構成紙の印字可能領域に移動させているが、本発明では、これに限らず、重要画像が印字回避領域に重ならないように編集すれば良く、縮小処理によって重要画像が印字回避領域に重ならないように編集しても良い。
【００４１】
このように、第３構成紙５３のシリコン部５３ｃ等の印字回避領域に重なる重要画像を、同一の構成紙の印字可能領域に移動させて印字することにより、シリコン部５３ｃ等の印字回避領域への重要画像の印字を防止して、専用アプリを用いなくても、ユーザが封筒に印刷された画像を読み取ることができる。
【００４２】
図７は、ステップＳ１２１における印字回避領域に重なる部分だけ背景画像を印刷しない編集処理の一例を示す説明図であり、（ａ）は印字回避領域に背景画像が重なっている状態、（ｂ）は印字回避領域に重なる部分だけ背景画像を印刷しない状態を示す図である。
【００４３】
図７（ａ）では、第３構成紙５３の表側の印字回避領域であるシリコン部５３ｃに斜線で示す模様等の背景画像が重なっているため、ＣＰＵ１１は、画像編集手段として機能してシリコン部５３ｃに重なる部分だけ図７（ｂ）に示すように白抜きにして印字しない。
【００４４】
そのため、第３構成紙５３のシリコン部５３ｃ等の印字回避領域に重なる背景画像は、白抜きにして印字しないことにより、シリコン部５３ｃ等の印字回避領域への背景画像の印字を防止して、印刷装置３の搬送ローラーや搬送ベルト等におけるインクの付着を防止することができる。これにより、封筒用紙５の汚れを防止することができる。
【００４５】
以上のように、本発明の実施の形態１の画像処理装置１によれば、ＣＰＵ１１は、プリンタドライバ１３２の実行によって判定手段１３２ａ、画像移動手段１３２ｂ、情報取得手段１３２ｄとして機能して、折り目により形成される複数の領域を有する封筒用紙５のうち印字されることを回避するための印字回避領域を示す印字情報と封筒用紙５の折り数を示す用紙折り情報とを取得し、取得した前記印字情報と前記用紙折り情報とに基づいて、封筒用紙５に印刷すべき画像データのうち所定の画像が印字回避領域に重なるか否かを判定し、画像が印字回避領域に重なると判定された場合、重なると判定された画像を同一の領域内で印字回避領域と重ならないように移動させるので、専用アプリを用いなくても、ユーザが封筒に印刷された画像を読み取ることができる。
【００４６】
特に、本発明の実施の形態１の画像処理装置１では、ＣＰＵ１１は、印字回避領域に重なると判定した画像が宛名や送り主名や住所等の重要画像の場合には、重要画像を同一の構成紙内の印字可能領域に移動するように編集する一方、印字回避領域に重なると判定した画像が封筒の模様や色彩等の背景画像の場合には、背景画像における印字回避領域に重なる部分は印字しないようにしたため、重要画像の欠落によって封筒の機能上の問題等を発生させることがないよう画像を効果的に移動させたので、専用アプリを用いなくても、ユーザが封筒に印刷された画像を読み取ることができる。
【００４７】
なお、上記の説明では、図２（ａ），（ｂ）に示すように印字回避領域として、切欠き部部５３ａや糊部５３ｂ、シリコン部５３ｃを一例に説明したが、本発明ではこれに限らず、図８に示すように封筒用紙フォームを３つ折りした際に、第３構成紙５３等の糊部５３ｂが接着する第１構成紙５１等の糊接着部５１ａも印字回避領域として登録しても良い。
【００４８】
また、上記の説明では、ＣＰＵ１１が画像編集手段として機能して印字回避領域に重なると判定した画像が重要画像の場合には同一の構成紙内の印字可能領域に移動するよう編集する一方、印字回避領域に重なると判定した画像が背景画像の場合には、背景画像における印字回避領域に重なる部分は印字しないようにしたが、本発明では、重要画像と背景画像とに分ける必要はなく、印字回避領域に重なると判定した画像は重要画像と背景画像の別に関わらず一律に同一の構成紙内の印字可能領域に移動しても良いし、印字回避領域に重なる部分の画像を印字しないようにしても良い。
【００４９】
また、上記の説明では、ＣＰＵ１１がプリンタドライバ１３２を実行することによって本発明の判定手段１３２ａおよび画像移動手段１３２ｂとしての機能を発揮するように説明したが、本発明では、これに限らず、文書編集アプリケーション１３１を実行することによって本発明の判定手段１３２ａおよび画像移動手段１３２ｂとしての機能を発揮するように構成しても勿論良い。
【００５０】
（実施の形態２）
本発明の実施の形態１に係る画像処理装置１では、予めプリンタドライバ１３２に記憶しておいた封筒用紙フォームの印字回避領域に原稿データの画像が重なるか否かを判定してその画像が封筒用紙における印字回避領域に重ならないように移動するように説明したが、これに限らない。
【００５１】
本発明の実施の形態２では、例えば、印刷装置３のスキャナ部３８によってユーザが画像を印刷しようとする新しい封筒用紙フォームを、ネットワーク２を介してプリンタドライバ１３２に記憶する画像処理装置１を例に挙げて説明する。
【００５２】
図９は、本発明の実施の形態２に係る画像処理装置１を含む封入封緘システム全体の構成図である。
【００５３】
図９に示すように、本発明の実施の形態２では、印刷装置３が、ユーザが画像を印刷しようとする新しい封筒用紙フォームを読取ることができるスキャナ部３８を有する。そして、本発明の実施の形態２に係る画像処理装置１は、印刷装置３のスキャナ部３８が新たに読取った封筒用紙フォームの縦横サイズ情報や、切欠き部５３ａ、糊部５１ｂ等の印字回避領域、印字回避領域以外の印字可能領域の座標（位置）データ等の印字情報と、封筒用紙５の折り数を示す用紙折り情報とを、ネットワーク２を介して画像処理装置１に送信させ、プリンタドライバ１３２に登録（記憶）する情報登録手段１３２ｃの機能を有している。なお、それ以外の構成は、図１に示す本発明の実施の形態１が備える構成と同様であるので、説明を省略する。
【００５４】
本発明の実施の形態２に係る画像処理装置１では、まず、印刷装置３のスキャナ部３８が読取ってネットワーク２を介して送信してきた封筒用紙フォームの縦横サイズ情報や、封筒用紙フォームの表面側の印字情報と用紙折り情報とをプリンタドライバ１３２に登録し、次いで封筒用紙フォームの裏面側の印字情報と用紙折り情報とをプリンタドライバ１３２に登録する。なお、切欠き部５３ａや糊部５３ｂ、シリコン部５３ｃ等の印字回避領域と、それ以外の印字可能領域との判別は、スキャナ部３８がスキャンした封筒用紙フォームの読取り画像における印字回避領域と印字可能領域の濃淡（濃度）の差や色の違い等により簡単に判別できる。
【００５５】
なお、封筒用紙５の折り数を示す用紙折り情報に関しては、ユーザなどに入力されて印刷設定された折り方に関する情報から取得するようにしてもよい。
【００５６】
以上のようにして封筒用紙フォームの縦横サイズ情報や、封筒用紙フォームの表裏面側の印字回避領域および印字可能領域の座標データ等の印字情報と用紙折り情報の登録が完了すると、図４に示すように封筒作成プリントウインドウ１４１の封筒用紙フォーム選択欄１４１ａで、スキャナ部３８で読み込んで新規に登録した封筒用紙フォームをユーザがプルダウン形式で選択できる。
【００５７】
従って、本発明の実施の形態２に係る画像処理装置１によれば、本発明の実施の形態１に係る画像処理装置１と同様の効果が得られると共に、印刷装置３のスキャナ部３８でスキャンした封筒用紙５の画像に基づいて封筒用紙フォームの印字情報と用紙折り情報とを生成して画像処理装置１のプリンタドライバ１３２に登録可能であるため、封筒用紙フォームの印字情報と用紙折り情報とが予め記憶されているような専用アプリを用いなくても、新たに登録した封筒用紙５の印字情報と用紙折り情報とに基づいて印字回避領域の画像移動処理を実行することができる。
【００５８】
なお、本発明の実施の形態２では、スキャナ部３８が印刷装置３に設けられているものとして説明したが、本発明ではこれに限らず、画像処理装置１にスキャナ部３８が接続されていても勿論良い。
【符号の説明】
【００５９】
１…画像処理装置
１１…ＣＰＵ
１２…メモリ
１３…ＨＤＤ
１３１…文書編集アプリケーションプログラム
１３２…プリンタドライバプログラム
１４…表示部
１４１…封筒作成プリントウインドウ
１５…入力部
１６…ネットワークＩ／Ｆ部
２…ネットワーク
３…印刷装置
３１…ＣＰＵ
３２…メモリ
３３…ＨＤＤ
３４…外部装置Ｉ／Ｆ部
３５…操作受付部
３６…印刷実行部
３７…ネットワークＩ／Ｆ部
３８…スキャナ部
４…封入封緘装置
５…封筒用紙
５１…第１構成紙
５１ａ…糊粘着部（印字回避領域）
５２…第２構成紙
５３…第３構成紙
５３ａ…切欠き部（印字回避領域）
５３ｂ…糊部（印字回避領域）
５３ｃ…シリコン部（印字回避領域）
【図１】
2015049599.tif 000003
【図２】
2015049599.tif 000004
【図３】
2015049599.tif 000005
【図４】
2015049599.tif 000006
【図５】
2015049599.tif 000007
【図６】
2015049599.tif 000008
【図７】
2015049599.tif 000009
【図８】
2015049599.tif 000010
【図９】
2015049599.tif 000011